(57)【特許請求の範囲】
【請求項１】
ロール状ペーパーを支持する断面形状が略Ｌ字形のホルダー本体と、前記ホルダー本体に傾動可能に枢着された左右一対のロール状ペーパー支持アームと、前記ロール状ペーパー支持アームに両端部を凹凸嵌合方式により着脱可能に支持されたロール状ペーパーから引き出されたペーパーを切断するカッター部と、前記ロール状ペーパーの先端部をカッター部へと導くペーパーガイド部とを有し、前記カッター部は、前記ホルダー本体に相互に相反する方向に水平に回動自在に軸着されかつバネにて常時内方へ付勢された相対する一対の切断刃で構成され、かつ前記ペーパーガイド部には前記一対の切断刃の直下に切欠凹部が設けられ、ペーパー使用時には前記切欠凹部に引き出されたペーパーの先端部を前記切断刃と相重ねて当該ペーパーと切断刃とを指で挟んだ状態で、前記切断刃をバネに抗してペーパー引き出し方向に回動させてペーパーを引き出すと同時に、前記切断刃を開放して元の位置に復帰させた後、前記切断刃のペーパー引き出し方向前方に延びたペーパーの先端部を掴んで当該ペーパーを適当量引出す構造となしていることを特徴とするトイレットペーパーホルダー。
【請求項２】
前記左右一対のロール状ペーパー支持アームに、当該支持アームの間隔を調整するための間隔調整用キャップを凹凸嵌合方式により着脱可能に設けたことを特徴とする請求項１に記載のトイレットペーパーホルダー。
【発明の詳細な説明】
【技術分野】
【０００１】
本発明は、特に介護分野で使用されているポータブルトイレ（椅子型簡易便器）に好適なトイレットペーパーホルダーに係り、より詳しくは片手でロール状ペーパーの引き出し、切断が可能なトイレットペーパーホルダーに関するものである。
【背景技術】
【０００２】
高齢者や足腰の弱い人、身体の不自由な人が、介護者の手助けを借りずに自力で安全にかつ容易に、しかも清潔に使用できる椅子型の簡易便器（ポータブルトイレ）として、例えば図７に示すものが知られている。この椅子型簡易便器は、椅子型の便器本体１１の座面部に後端部を回動可能に取着された開閉式の便座１２の下にバケツ形便器（図面省略）が取付けられ、かつ便座１２の上側に後端部を回動可能に取着された開閉式の座りパット１３が取り付けられたもので、便器使用時には座りパット１３を立てて背もたれにして用を足し、一方、椅子として使用する場合は、座りパット１３を倒して便座１２の上に相重ねるようになっている。
【０００３】
この種の椅子型簡易便器に備えつけられるトイレットぺーパー等のロール状ペーパーは、同図に示すようにロール状ペーパー４の内部に嵌挿した棒状のホルダー４−２の両端にひも１５を掛け、椅子型簡易便器の肘掛け１４に吊して使用されるのが一般的であった。
しかしながら、このようなトイレットぺーパーの使用の仕方では、適量のペーパーをロール状ペーパー４から引き出して千切る際には、両手を使用して行わなくてはならないため、使用者にとっては不便であり、又、片手しか使用できない場合には介護者の助けを借りなければならなかった。
【０００４】
このような状況において、片手で操作が可能なロール状ペーパーを用いるトイレットペーパーホルダーが各種提案されている（特許文献１〜４等参照）。
特許文献１には、蓋部先端にカッター部と重り部を備え、蓋部のほぼ中央に長穴を有するトイレットペーパーホルダーが提案され、長穴に指を挿入して、必要に応じた長さのトイレットペーパーを引き出し、上方に引き上げてカッター部でペーパーを切断するものが提案されている。
【０００５】
特許文献２には、上蓋と下蓋の２枚からなるカバーを有し、その上蓋と下蓋の間からペーパーを引出し、下へ向けて引く力によってロールペーパーを押さえて、同時に引き出したペーパーをカットするトイレットペーパーホルダーが提案されている。
【０００６】
特許文献３には、前端縁に、切り取られるべきペーパーやシートを絞って狭窄保持し、かつカットするための前方に開口したＶ字形スリットを備えるカバー板を、そのカバー板の支軸方向に摺動可能に取りつけ、支軸の一端に縮設されたコイルスプリングにより他端に押し付けると共に、カバー板の上方への回動を抑制した、ペーパーの切取り操作が片手で可能なロールペーパーホルダーが提案されている。
【０００７】
特許文献４には、ロール状ペーパーの引き出し方向にペーパーを引くと、ロール状ペーパーから引き出されたペーパーが通過し、切断方向に引くと、そのペーパーの通過を阻止する動作を与える挟持装置を有するトイレットペーパーホルダーが提案され、上方もしくは下方への動作によりペーパーを片手で切断できるとされている。
【先行技術文献】
【特許文献】
【０００８】
【特許文献１】特開２０１１−１２０８４９号公報
【特許文献２】特開２００４−３２９７９８号公報
【特許文献３】特開２００６−２５９０８号公報
【特許文献４】特開２００９−６１０４号公報
【発明の概要】
【発明が解決しようとする課題】
【０００９】
しかしながら、上記した従来の各種トイレットペーパーホルダーは、いずれも片手でロール状ペーパーをペーパーホルダーから引き出す動作や引き出された適量のペーパーを切断する動作は、上方、下方、あるいは斜め上方等の向きへの動作であり、そのため使用者の動作は腕を上下に動かすことが必要であるが、腕を上下させる動作は、筋肉に大きな労力が要求される動作であるために、高齢者や足腰の弱い人、身体の不自由な人、介護者の手助けを必要とする人等にとっては、苦痛であり、時間もかかる等の欠点を有する。
【００１０】
又、図７に例示したように腰より高い位置で身体の脇に接した状態で従来の各種トイレットペーパーホルダーを使用する場合、ペーパーホルダーの位置と腕の長さの関係からペーパーを引き出す動作や引き出されたペーパーをカットする動作が非常に窮屈な動作となり、使用者にかかる負担を大きくすることから実用性に欠ける。
【００１１】
本発明は、上記した従来の各種トイレットペーパーホルダーの欠点に鑑み、特に椅子型の簡易便器（ポータブルトイレ）の使用において、使用者に過大な負担を与えずに、片手でも容易にかつ楽にトイレットペーパーを使用できるトイレットペーパーホルダーの提供を目的とするものである。
【課題を解決するための手段】
【００１２】
本発明に係るトイレットペーパーホルダーは、ロール状ペーパーを支持する断面形状が略Ｌ字形のホルダー本体と、前記ホルダー本体に傾動可能に枢着された左右一対のロール状ペーパー支持アームと、前記ロール状ペーパー支持アームに両端部を凹凸嵌合方式により着脱可能に支持されたロール状ペーパーから引き出されたペーパーを切断するカッター部と、前記ロール状ペーパーの先端部をカッター部へと導くペーパーガイド部とを有し、前記カッター部は、前記ホルダー本体に相互に相反する方向に水平に回動自在に軸着されかつバネにて常時内方へ付勢された相対する一対の切断刃で構成され、かつ前記ペーパーガイド部には前記一対の切断刃の直下に切欠凹部が設けられ、ペーパー使用時には前記切欠凹部に引き出されたペーパーの先端部を前記切断刃と相重ねて当該ペーパーと切断刃とを指で挟んだ状態で、前記切断刃をバネに抗してペーパー引き出し方向に回動させてペーパーを引き出すと同時に、前記切断刃を開放して元の位置に復帰させた後、前記切断刃のペーパー引き出し方向前方に延びたペーパーの先端部を掴んで当該ペーパーを適当量引出す構造となしていることを特徴とするものである。
【００１３】
又、本発明は、上記構成のトイレットペーパーホルダーにおいて、左右一対のロール状ペーパー支持アームに、当該支持アームの間隔を調整するための間隔調整用キャップを凹凸嵌合方式により着脱可能に設けることを好ましい態様とするものである。
【発明の効果】
【００１４】
本発明のトイレットペーパーホルダーは、ペーパー使用時にはペーパーガイド部の切欠凹部に引き出されたペーパーの先端部を切断刃と相重ねて当該ペーパーと切断刃とを片手で挟んだ状態で該切断刃をバネに抗して前方に回動させてペーパーを引き出すと同時に、前記切断刃を開放して元の位置に復帰させると、その引き出されたペーパーの先端部が切断刃の前方に残ることにより、その切断刃の前方に残ったペーパーの先端部を掴んで当該ペーパーを適当量引出して切断することができるので、片手で腕の上下動を押さえた状態でペーパーの引き出し、切断等の一連の動作が可能となり、使用者に過大な負担を与えずに片手でも容易にかつ楽に使用できるという効果が得られる。従って、特に椅子型簡易便器（ポータブルトイレ）用に使用する場合には、椅子型簡易便器の側面に取付けて用いることにより、高齢者や足腰の弱い人、身体の不自由な人であっても、介護者の手助けを必要とすることなく片手で容易にかつ楽に使用することが可能となり、極めて実用性に富むものである。
【図面の簡単な説明】
【００１５】
【図１】本発明に係るトイレットペーパーホルダーの一実施例を示す側面図である。
【図２】同上トイレットペーパーホルダーの平面図である。
【図３】同上トイレットペーパーホルダーの正面図である。
【図４】同上トイレットペーパーホルダーに支持されたロール状ペーパーのペーパー引き出し動作及び切断動作を示す説明図で、（ａ）はペーパー引き出し動作開始前の状態、（ｂ）はペーパー引き出し動作中の状態、（ｃ）は切断刃が元に戻った状態、（ｄ）は適当長さのペーパーを引き出している状態、をそれぞれ示す。
【図５】同上トイレットペーパーホルダーの左右一対のロール状ペーパー支持アームの間隔調整用キャップの一例を示す断面図である。
【図６】同上トイレットペーパーホルダーを装備した椅子型簡易便器（ポータブルトイレ）を示す斜視図である。
【図７】従来のペーパーホルダーを装備した椅子型簡易便器（ポータブルトイレ）の一例を示す斜視図である。
【発明を実施するための形態】
【００１６】
図１に示す本発明のトイレットペーパーホルダーは、ロール状ペーパー４を支持する断面形状が略Ｌ字形のホルダー本体１、前記ホルダー本体１に傾動可能に枢着された左右一対のロール状ペーパー支持アーム２、前記ロール状ペーパー支持アーム２に両端部を凹凸嵌合方式により着脱可能に支持されたロール状ペーパー４から引き出されたペーパー４−１を切断するカッター部３とから構成されている。
【００１７】
断面形状が略Ｌ字形のホルダー本体１は、左右一対の略Ｌ字形部材１−１、該略Ｌ字形部材１−１の左右の短辺部側間に垂直に配設した背面板１−２と、同長辺部側間に配設した水平板からなるペーパーガイド部１−３とから構成され、背面板１−２は当該ホルダー本体１を相手部材（図面省略）に装着するための取付け面となる部分であり、ペーパーガイド部１−３は前記ロール状ペーパー４の先端部をカッター部３へと導く部分であり、かつペーパーガイド部１−３の先端部には、ペーパー４−１を引き出す動作を行う際に後述する切断刃３−１とペーパー４−１とを相重ねて指で挟持してペーパー４−１を引き出すための引き出し空間部となる切欠凹部１−４が形成されている。なお、１−５はホルダー本体１を相手部材（図面省略）に取着する場合に使用する背面板１−２に設けたねじ孔である（図３参照）。
【００１８】
前記左右一対のロール状ペーパー支持アーム２は、先端部にロール状ペーパー４の両端部の開口部に凹凸嵌合し得るペーパー支持キャップ２−１を有し、そのアーム付け根部２−２が前記ホルダー本体１の短辺部と長辺部の接続部に軸ピン２−３を介して傾動可能に枢着されており、この左右一対のロール状ペーパー支持アーム２のペーパー支持キャップ２−１にロール状ペーパー４の両端開口を回動自在に凹凸嵌合させて当該ペーパーを支持する構造となっている。
【００１９】
ロール状ペーパー４から引き出されたペーパー４−１を切断するカッター部３は、前記ホルダー本体１のペーパーガイド部１−３の先端部上面に切欠凹部１−４の直上に相重なるようにピン３−３にて相互に相反する方向に水平に回動自在に取着され、かつ該ペーパーガイド部１−３の裏面にピン３−３と突起３−４との間に掛けたバネ３−２にて常時内方（ペーパー引き出し方向と反対方向）へ付勢された相対する一対の切断刃３−１で構成されている。この左右一対の切断刃３−１は、図２に示すようにそれぞれ先端側に例えば鋸歯状刃３−５が形成され、通常は該鋸歯状刃３−５がペーパーガイド部１−３の先端部と略面一になるように取付けられ、かつそれぞれピン３−３を支点に相互に相反する方向（矢印イ、ロ方向）に水平に回動自在となしている。なお、刃先の形状・形態は鋸歯状に限定されないことはいうまでもない。
【００２０】
次に、上記のように構成されたトイレットペーパーホルダーに支持されたロール状ペーパー４の引き出し及び切断動作を図４に基づいて説明する。
まず、ペーパー引き出し動作開始前の状態を示す図（ａ）は、左右一対のロール状ペーパー支持アーム２のペーパー支持キャップ２−１に両端開口を凹凸嵌合させて取付けたロール状ペーパー４から引き出されて、ペーパーガイド部１−３及び切断刃３−１の上に置かれるペーパー切断後の状態を示したもので、ロール状ペーパー４から引き出されたペーパー４−１は、切断刃３−１の上に相重なった状態でその先端部（破断部）が切断刃３−１の鋸歯状刃３−５と面一にある。
この状態において、図（ｂ）に示すように切欠凹部１−４の位置で切断刃３−１とペーパー４−１とを指で挟持した状態で切断刃３−１をバネ３−２に抗してペーパー引き出し方向に回動させながらペーパーを引き出す。次いで、切断刃３−１を開放すると、バネ３−２の付勢力により当該切断刃３−１は図（ｃ）に示すように元の位置に戻り、切断刃３−１の前方には当該切断刃３−１とともに引き出されたペーパー４−１の先端部が残った状態となるので、最後は図（ｄ）に示すようにこの残った部分を掴んで当該ペーパーを適当量引出し、元の位置に戻っている切断刃３−１で切断する。ペーパーの切断動作はペーパーを掴んだまま下方又は上方に当該ペーパーを動かすことによって簡単にできる。この切断動作が終了すると、再び図（ａ）に示す状態となるので、以後は上記図（ｂ）〜（ｄ）の動作を繰り返して行えばよい。
このように本発明のトイレットペーパーホルダーの場合は、ロール状ペーパー４の引き出し及び切断動作を片手でかつ上下動の少ない動作で簡単にかつ楽に行うことができる。
【００２１】
又、本発明にかかるトイレットペーパーホルダーは、幅の異なる（短い）ロール状ペーパーにも対応できるように、図５に示すようにトイレットペーパーホルダーの左右一対のロール状ペーパー支持アーム２に当該支持アームの間隔を調整するための間隔調整用キャップ６を有している。この間隔調整用キャップ６は、左右一対のロール状ペーパー支持アーム２のペーパー支持キャップ２−１に凹凸嵌合方式により着脱可能となしたもので、幅の短いロール状ペーパー（図面省略）を使用する場合に、左右一対のロール状ペーパー支持アーム２のペーパー支持キャップ２−１に取付けて使用する。なお、この間隔調整用キャップ６の厚さは、幅の異なる（短い）ロール状ペーパーに応じて設定することはいうまでもない。
【００２２】
上記構成のトイレットペーパーホルダーを椅子型簡易便器（ポータブルトイレ）に取付けて使用する場合は、図６に示すように椅子型簡易便器の便器本体１１の側面に当該トイレットペーパーホルダーの背面板１−２の部分をねじ５で固着して用いることができる。この場合は、椅子型簡易便器の便座１２の上に座ったままで、前記したロール状ペーパー４の引き出し及び切断動作をこの側の手のみで行うことができる。即ち、前記したようにペーパーガイド部１−３の切欠凹部１−４に引き出されたペーパーの先端部を切断刃３−１と相重ねた状態で片方の指で挟んで当該切断刃３−１をバネに抗して前方に回動させてペーパー４−１を引き出すと同時に、前記切断刃３−１を開放して元の位置に復帰させ、その切断刃３−１の前方に残ったペーパー４−１の先端部を掴んで当該ペーパーを適当量引出して切断する。従って、本発明のトイレットペーパーホルダーを椅子型簡易便器（ポータブルトイレ）に取付けて使用した場合でも、ロール状ペーパー４の引き出し及び切断動作を片手でかつ上下動の少ない動作で簡単にかつ楽に行うことができる。
【符号の説明】
【００２３】
１  ホルダー本体
１−１  略Ｌ字形部材
１−２  背面板
１−３  ペーパーガイド部
１−４  切欠凹部
１−５  ねじ孔
２  ロール状ペーパー支持アーム
２−１  ペーパー支持キャップ
２−２  アーム付け根部
２−３  軸ピン
３  カッター部
３−１  切断刃
３−２  バネ
３−３  ピン
３−４  突起
３−５  鋸歯状刃
４  ロール状ペーパー
４−１  ペーパー
５  ねじ
６  間隔調整用キャップ
【図１】
0005410496.tif 000002
【図２】
0005410496.tif 000003
【図３】
0005410496.tif 000004
【図４】
0005410496.tif 000005
【図５】
0005410496.tif 000006
【図６】
0005410496.tif 000007
【図７】
0005410496.tif 000008